(57)【要約】【課題】            従来装置では、駆動軸や従動軸の回転操作片部又はストッパー操作片部に倒れ防止突片や支持片を設けて軸の倒れを防止し、回転力の伝達ロスをできるだけ小さくする装置が知られているが、相手の操作部にぶつからないように小さく設けなければならないから、大きさや強度的且つ位置的に設計の自由度がない課題がある。【解決手段】        そこで、本発明は、回転操作片部４又はストッパー操作片部１４のいずれか一方の外周をガイドするため従動軸１０又は駆動軸１にガイド枠８又はガイドリング１８を設けてなるハウス栽培用シート等の巻き取り軸装置を提供するものである。【選択図】        図８
2005318845.tif 000002
【特許請求の範囲】
【請求項１】
円筒状の固定ケースと、固定ケース内に外周面が密着して回転可能に収納されると共に両端部が固定ケースの内方に突出して押圧片部を形成するストッパーコイルと、固定ケースの一端側に回転自在に軸受けされてストッパーコイル内に回転自在に挿入されストッパーコイルを巻き込み方向に回転するように押圧片部に回転操作片部が当接する駆動軸と、固定ケースの他端側に回転自在に軸受けされてストッパーコイル内に回転自在に挿入されストッパーコイルを巻き戻し方向に回転するように押圧片部にストッパー操作片部が当接する従動軸と、回転操作片部又はストッパー操作片部のいずれか一方の基端部に軸芯を含んで一体に設けた中央軸受部と、他方の操作部の先端部に中央軸受部に嵌合するように軸芯を含んで一体に突設して設けた中央軸と、回転操作片部又はストッパー操作片部のいずれか一方の外周をガイドするため回転軸又は駆動軸に設けたガイド枠とからなるハウス栽培用シート等の巻き取り軸装置。
【請求項２】
請求項１に記載のハウス栽培用シート等の巻き取り軸装置において、回転操作片又はストッパー操作片のいずれか一方の先端面が回転軸又は駆動軸に設けたガイド枠基部に回転可能に密着するように設けてなるハウス栽培用シート等の巻き取り軸装置。
【請求項３】
請求項１又は２に記載のハウス栽培用シート等の巻き取り軸装置において、中央軸受部に中央軸が軸方向に緩く嵌合し、中央軸受部の軸受外周部が中央軸の軸外周基部に回転可能に密着するように設けてなるハウス栽培用シート等の巻き取り軸装置。
【請求項４】
請求項１、２又は３に記載のハウス栽培用シート等の巻き取り軸装置において、回転操作片部又はストッパー操作片部のいずれか一方を中空軸円弧状に設けると共に、他方を中実軸円弧状に設け、中空円弧状の円弧角度を中実軸円弧状の円弧角度より大きく設定してなるハウス栽培用シート等の巻き取り軸装置。
【請求項５】
請求項４に記載のハウス栽培用シート等の巻き取り軸装置において、中空円弧状の円弧角度を１８０度以上、中実軸円弧状の円弧角度を１８０度以下に設定してなるハウス栽培用シート等の巻き取り軸装置。
【請求項６】
請求項１乃至５のいずれかに記載のハウス栽培用シート等の巻き取り軸装置において、回転操作片部又はストッパー操作片部のいずれか一方を中空軸円弧状に設けると共に、他方を中実軸円弧状に設け、中空円弧状の操作片部の内壁面が中実軸円弧状の操作片部の外壁面に接して回転可能に設けてなるハウス栽培用シート等の巻き取り軸装置。
【請求項７】
請求項１乃至６のいずれかに記載のハウス栽培用シート等の巻き取り軸装置において、駆動軸及び又は従動軸を鋳造により成形加工してなるハウス栽培用シート等の巻き取り軸装置。
【請求項８】
請求項１乃至７のいずれかに記載のハウス栽培用ハウスシート等の巻き取り装置において、従動軸に設けたガイド枠により回転操作片部の外周をガイドと、駆動軸に設けたガイドリングとを設けてなるハウス栽培用シート等の巻き取り軸装置。
【発明の詳細な説明】
【技術分野】
【０００１】
本発明は、ハウス栽培用ハウスシート等の巻き取り軸装置に関する。
【背景技術】
【０００２】
本発明に関するハウス栽培用ハウスシート等の巻き取り軸装置は、手動ハンドル等により駆動軸を回転して、連動する従動軸に連結したハウスシートの巻き取り軸を回転してシートを巻き取り、適宜な位置で手動ハンドルから手を離すと、その位置を維持することができるものである。
【０００３】
従来、円筒状の固定ケース内に外周面が密着して回転可能に収納されると共に両端部が固定ケースの内方に突出して押圧片部を形成するストッパーコイルを設け、固定ケースの一端側に回転自在に軸受けされた駆動軸に、ストッパーコイル内に回転自在に挿入されストッパーコイルを巻き込み方向に回転するように押圧片部に当接する回転操作片部を設け、固定ケースの他端側に回転自在に軸受けされて駆動軸によって回転駆動される従動軸に、ストッパーコイル内に回転自在に挿入されストッパーコイルを巻き戻し方向に回転するように押圧片部に当接するストッパー操作片部を設けたものが知られている（特許文献１参照。）。
【０００４】
また、駆動軸や従動軸の回転操作片部又はストッパー操作片部に倒れ防止突片や支持片を設けて軸の倒れを防止し、回転力の伝達ロスをできるだけ小さくする装置（特許文献２参照。）や、駆動軸や従動軸の軸芯のズレを防止するため軸芯部に相互に嵌合するガイド突起を設けたものが知られている（特許文献３参照。）。
【特許文献１】実公平５−３４８７号公報
【特許文献２】特開２００１−１１２３５６号公報
【特許文献３】特開２００３−１９９４４０号公報
【発明の開示】
【発明が解決しようとする課題】
【０００５】
特許文献２又は３に開示された従来技術では、例えば、特許文献２の場合は、駆動軸や従動軸の相手の回転操作片部又はストッパー操作片部に抵触する位置、即ち、ストッパーコイルの押圧片部の間に位置して、相手の操作部にぶつからないように倒れ防止突片や支持片を小さく設けなければならないから、大きさや強度的且つ位置的に設計の自由度がない課題がある。
【０００６】
また、特許文献３の場合は、駆動軸や従動軸の回転操作片部又はストッパー操作片部に抵触しないように操作部と並行して別体に相互に係合するようにガイド突起部を突出して設けてあるため、加工が容易でないと共に、相手の操作部にぶつからないように小さく設けなければならないから、大きさや強度的且つ位置的に設計の自由度がない課題がある。
【課題を解決するための手段】
【０００７】
そこで、本発明は、請求項１に記載のように、円筒状の固定ケースと、固定ケース内に外周面が密着して回転可能に収納されると共に両端部が固定ケースの内方に突出して押圧片部を形成するストッパーコイルと、固定ケースの一端側に回転自在に軸受けされてストッパーコイル内に回転自在に挿入されストッパーコイルを巻き込み方向に回転するように押圧片部に回転操作片部が当接する駆動軸と、固定ケースの他端側に回転自在に軸受けされてストッパーコイル内に回転自在に挿入されストッパーコイルを巻き戻し方向に回転するように押圧片部にストッパー操作片部が当接する従動軸と、回転操作片部又はストッパー操作片部のいずれか一方の基端部に軸芯を含んで一体に設けた中央軸受部と、他方の操作部の先端部に中央軸受部に嵌合するように軸芯を含んで一体に突設して設けた中央軸と、回転操作片部又はストッパー操作片部のいずれか一方の外周をガイドするため従動軸又は駆動軸に設けたガイド枠又はガイドリングとからなるハウス栽培用シート等の巻き取り軸装置を提供するものである。
【０００８】
また、本発明は、請求項２に記載のように、  請求項１に記載のハウス栽培用シート等の巻き取り軸装置において、回転操作片又はストッパー操作片のいずれか一方の先端面が従動軸又は駆動軸に設けたガイド枠基部に回転可能に密着するように設けてなるハウス栽培用シート等の巻き取り軸装置を提供するものである。
【０００９】
また、本発明は、請求項３に記載のように、請求項１又は２に記載のハウス栽培用シート等の巻き取り軸装置において、中央軸受部に中央軸が軸方向に緩く嵌合し、中央軸の軸受外周部が中央軸部の軸外周基部に回転可能に密着するように設けてなるハウス栽培用シート等の巻き取り軸装置を提供するものである。
【００１０】
また、本発明は、請求項４に記載のように、請求項１、２又は３に記載のハウス栽培用シート等の巻き取り軸装置において、回転操作片部又はストッパー操作片部のいずれか一方を中空軸円弧状に設けると共に、他方を中実軸円弧状に設け、中空円弧状の円弧角度を中実軸円弧状の円弧角度より大きく設定してなるハウス栽培用シート等の巻き取り軸装置を提供するものである。
【００１１】
また、本発明は、請求項５に記載のように、請求項４に記載のハウス栽培用シート等の巻き取り軸装置において、中空円弧状の円弧角度を１８０度以上、中実軸円弧状の円弧角度を１８０度以下に設定してなるハウス栽培用シート等の巻き取り軸装置を提供するものである。
【００１２】
また、本発明は、請求項６に記載のように、請求項１乃至５のいずれかに記載のハウス栽培用シート等の巻き取り軸装置において、回転操作片部又はストッパー操作片部のいずれか一方を中空軸円弧状に設けると共に、他方を中実軸円弧状に設け、中空円弧状の操作片部の内壁面が中実軸円弧状の操作片部の外壁面に接して回転可能に設けてなるハウス栽培用シート等の巻き取り軸装置を提供するものである。
【００１３】
また、本発明は、請求項７に記載のように、請求項１乃至６のいずれかに記載のハウス栽培用シート等の巻き取り軸装置において、駆動軸及び又は従動軸を鋳造により成形加工してなるハウス栽培用シート等の巻き取り軸装置を提供するものである。
【００１４】
また、本発明は、請求項８に記載のように、請求項１乃至７のいずれかに記載のハウス栽培用ハウスシート等の巻き取り装置において、従動軸に設けたガイド枠により回転操作片部の外周をガイドと、駆動軸に設けたガイドリングとを設けてなるハウス栽培用シート等の巻き取り軸装置を提供するものである。
【発明の効果】
【００１５】
以上の通り、本発明はに係るハウス栽培用ハウスシート等の巻き取り装置によれば、請求項１に記載のように、円筒状の固定ケースと、固定ケース内に外周面が密着して回転可能に収納されると共に両端部が固定ケースの内方に突出して押圧片部を形成するストッパーコイルと、固定ケースの一端側に回転自在に軸受けされてストッパーコイル内に回転自在に挿入されストッパーコイルを巻き込み方向に回転するように押圧片部に回転操作片部が当接する駆動軸と、固定ケースの他端側に回転自在に軸受けされてストッパーコイル内に回転自在に挿入されストッパーコイルを巻き戻し方向に回転するように押圧片部にストッパー操作片部が当接する従動軸と、回転操作片部又はストッパー操作片部のいずれか一方の基端部に軸芯を含んで一体に設けた中央軸受部と、他方の操作片部の先端部に中央軸受部に嵌合するように一体に突設して設けた中央軸と、回転操作片部又はストッパー操作片部のいずれか一方の外周をガイドするため従動軸又は駆動軸に設けたガイド枠とからなる構成を有することにより、回転操作片部又はストッパー操作片部のいずれか一方の基端部に軸芯を含んで一体に設けた中央軸受部と、他方の操作片部の先端部に一体に突設して設けた中央軸とが回転自在に嵌合することによって、軸芯のぶれがなくなり、且つ、回転操作片部又はストッパー操作片部のいずれか一方の外周を従動軸又は駆動軸に設けたガイド枠によって直接にガイドすることによって、操作片部のぶれがなくなり、両者の相乗作用によって、駆動軸と従動軸との連動回転が確実に行われることになり、円滑なハウス栽培用シート軸の巻き取り巻き戻し操作ができる効果がある。
【００１６】
また、本発明によれば、駆動軸又は従動軸の中央軸受部と中央軸、及び、操作片部とガイド枠を、軸方向から相互に密着して高精度に嵌合して組み合わせることができる構成であるから、複雑な構造からなる駆動軸及び又は従動軸を工作機械加工ではなく鋳造により比較的簡単に製造することができる効果がある。
【００１７】
また、本発明は、請求項２に記載のように、  請求項１に記載のハウス栽培用シート等の巻き取り軸装置において、回転操作片部又はストッパー操作片部のいずれか一方の先端面が従動軸又は駆動軸に設けたガイド枠基部に回転可能に密着するように設けてなる構成を有することにより、ガイド枠部に操作片部の外周のみならず先端面もガイドされることにより、駆動軸と従動軸とが確実に軸芯を倒すことなく連動回転する効果がある。
【００１８】
また、本発明は、請求項３に記載のように、請求項１又は２に記載のハウス栽培用シート等の巻き取り軸装置において、中央軸受部に中央軸が軸方向に緩く嵌合し、中央軸の軸受外周部が中央軸受部の軸外周基部に回転可能に密着するように設けてなる構成を有することにより、中央軸と中央軸受部に軸方向及び軸周り方向において確実に回転して駆動軸と従動軸とが軸芯を倒すことなく連動回転する効果があると共に、回転操作片部又はストッパー操作片部のいずれか一方の先端面が従動軸又は駆動軸に設けたガイド枠基部に確実に密着するから、駆動軸と従動軸とが確実に軸芯を倒すことなく連動回転する効果がある。
【００１９】
また、本発明は、請求項４に記載のように、請求項１、２又は３に記載のハウス栽培用シート等の巻き取り軸装置において、回転操作片部又はストッパー操作片部のいずれか一方を中空軸円弧状に設けると共に、他方を中実軸円弧状に設け、中空円弧状の円弧角度を中実軸円弧状の円弧角度より大きく設定してなる構成を有することにより、大きく設定した中空円弧状の操作片部の強度を大きくすることができ、それより小さく設定した中実円弧状の操作片部の強度と強度的バランスを取ることができる効果がある。
【００２０】
また、本発明は、請求項５に記載のように、請求項４に記載のハウス栽培用シート等の巻き取り軸装置において、中空円弧状の円弧角度を１８０度以上、中実軸円弧状の円弧角度を１８０度以下に設定してなる構成を有することにより、操作片部の強度的バランスを取ることができると共に、押圧片部を間に挟んだ操作片部の間隔をできるだけ小さく設定することができるから、巻き取り又は巻き戻し回転操作時の停止直後の巻き取り軸のストップするまでの回転角度を小さくすることができる効果がある。
【００２１】
また、本発明は、請求項６に記載のように、請求項１乃至５のいずれかに記載のハウス栽培用シート等の巻き取り軸装置において、回転操作片部又はストッパー操作片部のいずれか一方を中空軸円弧状に設けると共に、他方を中実軸円弧状に設け、中空円弧状の操作片部の内壁面が中実軸円弧状の操作片部の外壁面に接して回転可能に設けてなる構成を有することにより、中空円弧状の操作片部を中軸円弧状部によって補強し且つガイドすることができる効果がある。
また、本発明は、請求項７に記載のように、請求項１乃至６のいずれかに記載のハウス栽培用シート等の巻き取り軸装置において、駆動軸及び又は従動軸を鋳造により成形加工してなる構成を有することにより、駆動軸及び又は従動軸を鋳造手段により容易に安価に提供することができる効果がある。
【００２２】
また、本発明は、請求項８に記載のように、請求項１乃至７のいずれかに記載のハウス栽培用ハウスシート等の巻き取り装置において、従動軸に設けたガイド枠により回転操作片部の外周をガイドと、駆動軸に設けたガイドリングとを設けてなる構成を有することにより、回転操作片部及びストッパー操作片部の両者の外周を従動軸及び駆動軸に設けたガイド枠及びガイドリングによって直接にガイドすることによって、操作片部のぶれがなくなり、両者の相乗作用によって、駆動軸と従動軸との連動回転が確実に行われることになり、円滑なハウス栽培用シート軸の巻き取り巻き戻し操作ができる効果がある。
【発明を実施するための最良の形態】
【００２３】
図１及び図２に記載の実施例において、１は手動ハンドルに直接又は減速機構等を介して連結される駆動軸で、ハンドル連結部２側は中空パイプ上をなし、駆動軸１の先端部３側は外方に拡張すると共に中実軸状をなし、先端部３の軸芯には中央軸受部５が凹孔状に設けてある。また、駆動軸１の先端部３の外周には中央軸受部５を軸芯として円弧状断面を有する回転操作片部４が一体に設けてある。
【００２４】
他方、１０はハウスシート巻き取り軸に連結される従動軸で、ハウスシート軸連結部１１側は中空状をなし、従動軸１０の先端部１２側は外方に拡張すると共に中実軸状をなし、先端部１２の先には軸芯部を含んで扇型状に中央軸基部１３とストッパー操作片部１４が一体に設けてあり、中央軸基部１３の先端部に前記駆動軸１の中央軸受部５に嵌合する中央軸１５が一体に設けてある。
【００２５】
図１に記載のように、中央軸受部５は中央軸１５の先端部が孔底に当接しないように軸方向に緩く嵌合するように設けてあり、中央軸基部１３とストッパー操作片部１４の頂部接触面１６が、中央軸１５の軸外周基部として、中央軸１５の先端面より広い面積を以て駆動軸１の中央軸受部５の軸受外周部６に密着し、軸が倒れることなく確実に回転し得るように設けてある。
【００２６】
また、中央軸基部１３の外周部は断面円弧状をなし、図４及び図６に記載のように、該円弧状の中央軸基部１３に沿って前記駆動軸１の回転操作片部４が内接してガイドされるように構成してある。
また、駆動軸１の回転操作片部４の先端部７は、従動軸１０の先端部１２の中央軸基部１３の基部面１７に対面して密着するように設けてあると共に、基部面１７に円弧状に突設したガイド枠部１８に内接及び又は外接してガイドされるように構成してある。なお、ガイド枠部１８は、図示の環状に限らず、回転操作片部４の扇形状の内周部及び又は外周部に当接してその回転を支持し案内する１又は複数個のリング片、円柱片又は棒状片等の突起部であっても良い。
【００２７】
更に、図７及び図８に記載の実施例の場合は、駆動軸１の軸受外周部６を囲んでガイドリング８が一体に設けてあり、従動軸１０のストッパー操作片部１４の扇形状の外周先端部がガイドリング８に嵌合して案内され、倒れることなく確実に回転し得るように構成してある。なお、ガイドリング８は、図示の環状に限らず、ストッパー操作片部１４の扇形状の外周部に当接してその回転を支持し案内する１又は複数個のリング片、円柱片又は棒状片等であっても良い。
【００２８】
他方、２０は円筒状の固定ケースで、固定ケース２０内には、外周面が密着して回転可能に収納されると共に両端部が固定ケース２０の内方に突出して押圧片部３１，３２を形成するストッパーコイル３０が設けてある。
固定ケース２０は両端部に設けた切欠部２１が図では省略したケース取付部に回転することなく嵌合し、前記駆動軸及び従動軸はケース取付部に回転自在に軸受け支持されている。また、ケース取付部はハウスシートの巻き上げ部に沿って設けたガイド部材に上下動可能にガイドされ、ハウスシートの巻き上げ巻き戻しに伴って固定ケース２０を一体に上下動自在に案内するように構成してある。
【００２９】
図３及び図４に記載のように、駆動軸１の回転操作片部４は、ストッパーコイル３０の押圧片部３１，３２の間に、回転に伴ってストッパーコイル３０を巻き込む方向から当接するように緩く嵌合するように構成してあると共に、図５及び図６に記載のように、従動軸１０のストッパー操作片部１４は、ストッパーコイル３０の押圧片部３１，３２の間に、回転に伴ってストッパーコイル３０を巻き戻す方向から当接するように緩く嵌合するように構成してある。  
【００３０】
従って、駆動軸１を回転するときには、回転操作片部４が、図４に記載のように、ストッパーコイル３０を巻き込むように押圧片部３１又は３２に当接するから、ストッパーコイル３０は縮小して固定ケース１の内壁に緩く嵌合した状態になり、容易に回転して従動軸１０のストッパー操作片１４を押し回し、従動軸１０を巻き取り又は巻き戻し方向に回転することができる。
【００３１】
逆に、操作ハンドルから手を離して駆動軸１の駆動を停止すると、従動軸２０はハウスシートの自重により回転しようとするが、図６に記載のように、ストッパー操作片部１４は、図６に記載のように、ストッパーコイル３０を巻き戻すように押圧片部３１又は３２に当接するから、ストッパーコイル３０は外周に拡張する方向の力を受けて固定ケース１の内壁に強力に嵌合した状態になり、回転することなく固定して従動軸１０のストッパー操作片１４を停止させ、ハウスシートを停止状態に維持すると共に、駆動軸１側に何らの力を及ぼさなくなる。
【００３２】
なお、図示の実施例の如く、ストッパーコイル３０を巻き込むように設けた押圧片部３１又は３２の角度間隔を巻き込み側より大きく設定し、駆動軸１側の中空円弧状の回転操作片部４の円弧角度を１８０度を超えて大きく構成することによって、駆動軸１側の中空円弧状の回転操作片部４の強度を大きくすることができる効果がある。
【００３３】
また、この場合、図示の実施例の如く、ストッパーコイル３０を巻き戻すように設けた押圧片部３１又は３２の角度間隔を巻き込み側より小さく設定しても、従動軸１０側の軸芯部を含んで扇型状に中央軸基部１３と一体に設けてあるストッパー操作片部１４は、回転操作片部４の円弧角度に比較して１８０度より小さくても十分な強度を維持することができる効果がある。
【００３４】
なお、また、中空円弧状の回転操作片部４の円弧角度を１８０度を超えて大きく構成することによって、押圧片部３１又は３２を間に挟んだストッパー操作片１４との間隔をできるだけ小さく設定することができるから、巻き取り又は巻き戻し回転操作時の停止直後の巻き取り軸のストップするまでの回転角度を小さくすることができる効果がある。
【００３５】
また、本発明によれば、駆動軸又は従動軸の中央軸受部と中央軸、及び、操作片部とガイド枠或いはガイドリングを、軸方向から相互に密着して高精度に嵌合して組み合わせることができる構成であるから、複雑な構造からなる駆動軸及び又は従動軸を工作機械加工ではなく鋳造により比較的簡単に製造することができる効果がある。
【図面の簡単な説明】
【００３６】
【図１】本発明装置の一実施例の要部の中央縦断面図。
【図２】その要部の分解斜視図。
【図３】その一要部の横断面図。
【図４】その要部の作動態様を示す横断面図。
【図５】その他の要部の横断面図。
【図６】その要部の作動態様を示す横断面図。
【図７】本発明装置の他の実施例の要部の斜視図。
【図８】その要部に係わる実施例の中央縦断面図。
【符号の説明】
【００３７】
１      駆動軸
２      ハンドル連結部
３      先端部
４      回転操作片部
５      中央軸受部
６      軸受外周部
７      先端部
８      ガイドリング
１０    従動軸
１１    ハウスシート軸連結部
１２    先端部
１３    中央基軸部
１４    ストッパー操作片部
１５    中央軸
１６    頂部接触面
１７    基部面
１８    ガイド枠部
２０    固定ケース
３０    ストッパーコイル
３１，３２  押圧片部      
【図１】
2005318845.tif 000003
【図２】
2005318845.tif 000004
【図３】
2005318845.tif 000005
【図４】
2005318845.tif 000006
【図５】
2005318845.tif 000007
【図６】
2005318845.tif 000008
【図７】
2005318845.tif 000009
【図８】
2005318845.tif 000010